(57)【要約】【課題】１つのショートメッセージを複数の通信加入者に簡単かつ低コストで分配できる手法を提供すること。【解決手段】可変の数のアドレスデータフィールドを含み少なくとも１つのヘッダ情報アイテムとデータを含むショートメッセージと、前記各アドレスデータフィールドは通信加入者のアドレスを含み、前記アドレスデータフィールドは通信加入者のアドレスを電話番号の形態で記憶し、前記複数の通信加入者において１つのアドレスデータフィールドが各通信加入者毎に利用可能となるようにヘッダ情報アイテムをフォーマットするためのフォーマットユニットと、前記アドレスデータフィールドに通信加入者のアドレスを記憶するための記憶ユニットと、前記アドレスデータフィールドに記憶されたアドレスに従って通信加入者にショートメッセージを伝送する伝送ユニットを設ける。【選択図】図１
2011142635.tif 000002
【特許請求の範囲】
【請求項１】
遠隔通信網において複数の通信加入者にデータを伝送するための装置であって、前記データは各検索毎に伝送されるものである形式の装置において、
可変の数のアドレスデータフィールドを含み少なくとも１つのヘッダ情報アイテムとデータを含むショートメッセージを有し、前記各アドレスデータフィールドは通信加入者のアドレスを含み、さらに前記アドレスデータフィールドは通信加入者のアドレスを電話番号の形態で記憶し得るものであり、
前記複数の通信加入者において１つのアドレスデータフィールドが各通信加入者毎に利用可能となるようにヘッダ情報アイテムをフォーマットするためのフォーマットユニットと、
前記アドレスデータフィールドに通信加入者のアドレスを記憶するための記憶ユニットと、
前記アドレスデータフィールドに記憶されたアドレスに従って通信加入者にショートメッセージを伝送し、それによってアドレス指定された各通信加入者がショートメッセージを検索できるようにする伝送ユニットとを有していることを特徴とする装置。
【請求項２】
遠隔通信網においてデータを伝送するための方法において、
各通信加入者による検索毎に各通信加入者に伝送すべきデータを複数の通信加入者に供給するステップと、
可変の数のアドレスデータフィールドを含む少なくとも１つのヘッダ情報アイテムとデータを含むショートメッセージを準備するステップと、前記各アドレスデータフィールドは通信加入者のアドレスを含み、さらに前記アドレスデータフィールドは通信加入者のアドレスを電話番号の形態で記憶し得るものであり、
前記複数の通信加入者において１つのアドレスデータフィールドが各通信加入者毎に利用可能となるようにヘッダ情報アイテムをフォーマットするステップと、
前記アドレスデータフィールドに通信加入者のアドレスを記憶するステップと、
前記アドレスデータフィールドに記憶されたアドレスに従って通信加入者にショートメッセージを伝送し、それによってアドレス指定された各通信加入者がショートメッセージを検索できるようにするステップとを有していることを特徴とする方法。
【請求項３】
前記ショートメッセージはさらにデータ部を含んでおり、前記方法にはさらにこのデータ部内にヘッダ情報アイテムが存在するようにショートメッセージをフォーマットするステップが含まれている、請求項２記載の方法。
【請求項４】
前記ショートメッセージはさらに第２のヘッダ情報アイテムを含んでおり、この第２のヘッダ情報アイテムには正確に１つのソースアドレスデータフィールドと宛先アドレスデータフィールドが含まれており、前記方法にはさらに当該宛先アドレスデータフィールド内に前記通信加入者の１つのアドレスか若しくはネットワークユニットのアドレスを記憶させるステップが含まれている、請求項２記載の方法。
【請求項５】
前記方法にさらに、第２のヘッダ情報内のシグナリングエントリによってショートメッセージ内のヘッダ情報アイテムの存在を指示するステップが含まれている、請求項３記載の方法。
【請求項６】
前記方法にさらに、アドレスデータフィールド内に記憶されているアドレスのタイプを特定するアドレス識別データフィールドが各アドレスデータフィールド毎に設けられるように、前記ヘッダ情報アイテムをフォーマットするステップが含まれている、請求項２記載の方法。
【請求項７】
前記方法にさらに、ショートメッセージの伝送中にヘッダ情報アイテムから、少なくとも１つのアドレスを抽出するステップが含まれており、これによって抽出されたアドレスにより識別された通信加入者に、別のショートメッセージと共に少なくとも部分的にショートメッセージの内容が伝送される、請求項２記載の方法。
【請求項８】
前記方法にさらに、ショートメッセージの伝送中にヘッダ情報アイテムから、全てのアドレスを抽出するステップと、抽出されたアドレスの１つによって識別された各通信加入者に、別のショートメッセージと共に少なくとも部分的にショートメッセージの内容を伝送するステップが含まれている、請求項７記載の方法。
【請求項９】
前記遠隔通信網はＧＳＭ移動無線網として構成されている、請求項２記載の方法。
【請求項１０】
前記遠隔通信網はＵＭＴＳ移動無線網として構成されている、請求項２記載の方法。
【請求項１１】
さらに、データフィールドのシグナリングを含む少なくとも１つのシグナリング識別データフィールドと、第１のヘッダ情報アイテムとを伝送するステップが含まれている、請求項２記載の方法。
【請求項１２】
少なくとも１つのシグナリング識別データフィールドは、アドレスデータのタイプを示している、請求項１１記載の方法。
【請求項１３】
少なくとも１つのデータフィールドは、ショートメッセージのデータ部内で当該ショートメッセージの有効データに前置されて伝送される、請求項２記載の方法。
【請求項１４】
第１のヘッド情報と共に、少なくとも１つのターゲットアドレスデータフィールドが伝送され、該ターゲットアドレスデータフィールドは、ショートメッセージのターゲットアドレスを含んでいる、請求項２記載の方法。
【請求項１５】
第１のヘッド情報内で、前記各ターゲットアドレスデータフィールドに前置して少なくとも１つの長さデータフィールドが伝送される、請求項１４記載の方法。
【請求項１６】
複数のターゲットアドレスデータフィールド毎に正確に１つのシグナリング識別データフィールドが第１のヘッド情報と共に伝送される、請求項１１記載の方法。
【請求項１７】
ショートメッセージは、複数のアドレスデータフィールドを含む少なくとも１つのヘッダ情報アイテムを含んでいる、請求項２記載の方法。
【請求項１８】
遠隔通信網において複数の通信加入者にショートメッセージを伝送するための装置において、
ショートメッセージを供給するための第１のユニットを有し、前記ショートメッセージは、可変の数のアドレスデータフィールドを含む少なくとも１つのヘッダ情報アイテムを含み、前記各アドレスデータフィールドは通信加入者のアドレスを含み、さらに前記アドレスデータフィールドは通信加入者のアドレスを電話番号の形態で記憶し得るものであり、
前記複数の通信加入者において１つのアドレスデータフィールドが各通信加入者毎に利用可能となるようにヘッダ情報アイテムをフォーマットするためのフォーマットユニットと、
前記アドレスデータフィールドに通信加入者のアドレスを記憶するための記憶ユニットと、
前記アドレスデータフィールドに記憶されたアドレスに従って通信加入者にショートメッセージを伝送するための伝送ユニットとを有していることを特徴とする装置。
【請求項１９】
遠隔通信網における複数の通信加入者にショートメッセージを伝送するための装置において、
送信されたショートメッセージを受信するための受信ユニットと、該ショートメッセージは、可変の数のアドレスデータフィールドを含む少なくとも１つのヘッダ情報アイテムを含み、前記各アドレスデータフィールドは通信加入者のアドレスを含み、さらに前記アドレスデータフィールドは通信加入者のアドレスを電話番号の形態で記憶し得るものであり
ショートメッセージのヘッダ情報アイテムから少なくとも１つのアドレスを抽出するための抽出ユニットと、
抽出されたアドレスにより識別された通信加入者に、別のショートメッセージと共に少なくとも部分的にショートメッセージのデータを伝送するための伝送ユニットとを有していることを特徴とする装置。
【発明の詳細な説明】
【技術分野】
【０００１】
本発明は、請求項１の上位概念によるショートメッセージの伝送のための方法に関している。
【背景技術】
【０００２】
ショートメッセージの伝送のための方法は、例えばＧＳＭ(Global System for mobile Communications）方式の移動無線網に対するものが公知であり、そこではＳＭＳショートメッセージサービスという名目で実現されている。このＳＭＳショートメッセージサービスでは、ショートメッセージの送信に対しては唯１人の受信者にしか送ることができない。従って同じショートメッセージをその他の受信者にも送信したい場合には、発信者はこのメッセージを何度も繰り返し送信しなければならない。
【０００３】
ＷＯ９９／５７９２７ 明細書からは移動体無線網におけるＳＭＳショートメッセージの配信のための方法が公知である。この方法では、そのつどのＳＭＳショートメッセージが"ヘッダ"、すなわち本来のメッセージ部分の前に付加的なグループ識別コードを備えたヘッド部分を有している。このＳＭＳショートメッセージは、基本的には１つの無線セルの基地局から放送無線チャネルを介してそのセル内に滞在している全ての移動体端末機器に伝送されている。各移動体端末機器は、１つのメモリ、例えばＳＩＭカード（Subscriber Identity Module）を有しており、このメモリには、当該端末機器の所属するグループの識別コードがリストとして記憶されている。各移動体端末機器は、受信したＳＭＳショートメッセージのグループ識別コードと記憶されているグループ識別コードの比較によって一致が見られた場合にのみ、当該ＳＭＳショートメッセージがこの端末機器に完全に表示される。このようにしてそれぞれのショートメッセージはそのつどの無線セル内の基地局からそのセル内に滞在している移動体端末機器の各々に個別に伝送され、各個別の端末機器自身においてグループ識別コードのコード比較を用いて初めて選択的な受信が行われる。
【０００４】
第１のネットワークのコンピュータから出発して別のネットワークの多数のコンピュータに対し、同じデータパケットをネットワーク負荷の軽減のもとに分配できるようにするために、ＪＰ  １０２１００６７ 明細書では、ターゲットコンピュータの本当のターゲットアドレスの代わりに当該ターゲットアドレスを、データパケットの前に置かれるパケットヘッダフィールドの区分において"１.１，１.２，ｙ.ｚ"として表す、つまりターゲットコンピュータの通し番号化によるだけでその本当のアドレスデータにはよらない手法が開示されている。しかしながらこのデータパケットの本来のデータ部内にはターゲットアドレスが何も設けられていない。
【０００５】
ＥＰ−０  ３００  ３５０  明細書に開示されているルーティング手法のもとでは、第１のバスシステムに接続されている送信側端末機器から発せられた１つの通信メッセージ内で多数の機能命令が、ゲートウエイを介して、第２のバスシステムに接続されている唯１つのターゲット端末機器に伝送されている。ここでは通信メッセージにおいて、別個のヘッダフィールドとデータフィールドが順次連続しており、この場合ヘッダフィールドには送受信アドレスのみが割り当てられ、データフィールドには専ら機能命令ないしコマンドが割り当てられているだけである。
【先行技術文献】
【特許文献】
【０００６】
【特許文献１】ＷＯ９９／０５７９２７  明細書
【特許文献２】ＪＰ  １０２１００６７  明細書
【特許文献３】ＥＰ  ０  ３００  ３５０  明細書
【発明の概要】
【発明が解決しようとする課題】
【０００７】
本発明が基礎としている課題は、１つのショートメッセージを複数の通信加入者に簡単かつ低コストで分配できる手法を提供することである。
【課題を解決するための手段】
【０００８】
前記課題は本発明により、可変の数のアドレスデータフィールドを含み少なくとも１つのヘッダ情報アイテムとデータを含むショートメッセージを有し、前記各アドレスデータフィールドは通信加入者のアドレスを含み、さらに前記アドレスデータフィールドは通信加入者のアドレスを電話番号の形態で記憶し得るものであり、前記複数の通信加入者において１つのアドレスデータフィールドが各通信加入者毎に利用可能となるようにヘッダ情報アイテムをフォーマットするためのフォーマットユニットと、前記アドレスデータフィールドに通信加入者のアドレスを記憶するための記憶ユニットと、前記アドレスデータフィールドに記憶されたアドレスに従って通信加入者にショートメッセージを伝送し、それによってアドレス指定された各通信加入者がショートメッセージを検索できるようにする伝送ユニットとを有するようにして解決される。
【発明の効果】
【０００９】
請求項１の特徴部分に記載された本発明によるショートメッセージの伝送のための方法によれば、一人以上の通信加入者にショートメッセージを伝送するための複数のアドレスデータを１つのショートメッセージで送信できる。この本発明によれば、ショートメッセージを多数の通信加入者ないし多数の受信機に同時に送信できるようになり、それによって発信者には時間とコストの節約が達成される。
【図面の簡単な説明】
【００１０】
【図１】第１の通信ネットワークと第２の通信ネットワークを介したショートメッセージの伝送を表した図
【図２】ショートメッセージの基本的な構造を表した図
【図３】アドレスデータの伝送のためのデータフィールドを備えた第１のヘッダ情報の構造を表わした図
【図４】第１のヘッダ情報の構造に対する第１の実施例を示した図
【図５】第１のヘッダ情報の構造に対する第２の実施例を示した図
【図６】第１のヘッダ情報の構造に対する第３の実施例を示した図
【発明を実施するための形態】
【００１１】
従属請求項に記載された手段によれば、独立請求項に記載された本発明による方法の改善例ないし変化実施例が可能である。
【００１２】
特に有利には、複数のターゲットアドレスデータフィールド毎に正確に１つのシグナリング識別データフィールドが第１のヘッダ情報と共に伝送される。このようにすれば、第１のヘッダ情報に対するデータ部に要求されるデータセットが低減され、それによって有効データに対し、ショートメッセージの中でより大きなデータ容量が得られるようになる。
【実施例】
【００１３】
図１には、送信機が符号１２５で示されている。この送信機は、第１の通信ネットワーク１００を介して第１のネットワークユニット１４０にショートメッセージを伝送する。第１のネットワークユニット１４０は、このショートメッセージを、第１の遠隔通信ネットワーク１００を介して第２のネットワークユニット１５０に転送する。この第２のネットワークユニット１５０は、第１の遠隔通信ネットワーク１００のネットワークユニットでも、第２の通信ネットワーク２００のネットワークユニットでもあり得る。第２のネットワークユニット１５０からは、ショートメッセージが一方では第１の遠隔通信ネットワーク１００を介して第１の通信加入者１７５に伝送可能であり、さらにもう一方では第２の遠隔通信ネットワーク２００を介して第２の通信加入者１７６に伝送可能である。
【００１４】
前記第１のネットワークユニット１４０と第２のネットワークユニット１５０は、図１によれば２つの別個のユニットとして実現されているが、しかしながらこれらのネットワークユニットは、１つの共通のユニットに統合させることももちろん可能である。
【００１５】
図２には、ショートメッセージが示されている。このショートメッセージ５は、第１の通信ネットワーク１００の送信機１２５から形成され、前述のように第１の通信ネットワーク１００の第１のネットワークユニット１４０を介しさらに第１の通信ネットワーク１００を介して第２のネットワークユニット１５０に伝送される。そのようなショートメッセージの伝送に対して、第１の通信ネットワーク１００と第２の通信ネットワーク２００ではいわゆるショートメッセージサービスが設けられている。そのようなショートメッセージサービスとしては、例えば移動無線ネットワークとして構成されている通信ネットワークが存在する。以下の例示的な説明においては、第１の通信ネットワーク１００と第２の通信ネットワーク２００は、それぞれ移動無線ネットワークとして構成されているものとする。この場合そのような移動無線ネットワークは例えばＧＳＭ（Global System for Mobile Communications）方式またはＵＭＴＳ（Universal Mobile Telecommunications System）標準規格である。ＧＳＭ移動無線ネットワークのもとでは、いわゆるＳＭＳショートメッセージサービスが詳述されており、このサービスでは送信機と受信機の間でＳＭＳショートメッセージの送信が可能である。このＳＭＳショートメッセージのテキスト情報は目下のところ、最大で１６０個の文字からなるテキスト長に制限されている。したがってそれ以上のテキスト情報を伝送したいときには、ＳＭＳショートメッセージサービスでは、複数のショートメッセージの連鎖化で対処している。つまり伝送すべきショートメッセージをいくつかのＳＭＳショートメッセージに分割している。図２に示されているショートメッセージ５は、基本的に第２のヘッダ情報１２と１つのデータ部５０を含んでいる。前記第２のヘッダ情報には、シグナリングエントリ並びに、送信すべきショートメッセージ５のための第１の宛先アドレスないし受信すべきショートメッセージ５のためのソースアドレスが含まれている。第１の宛先アドレスは、第１の通信ネットワーク１００におけるショートメッセージ５の受信機として第２のネットワークユニット１５０を表わし、ソースアドレスは、第１の通信ネットワーク１００におけるショートメッセージ５の送信機１２５を表す。データ部５０には、本来の送信すべきメッセージとそれに伴ういわゆる有効データ（これは図２中では符号１によって表されている）が含まれる。この場合ＳＭＳショートメッセージサービスでは、ソースアドレスないし第１の宛先アドレスは公知の技術仕様"Technical Realisation of the Short Message Service(SMS) ; Point to Point(PP), GSM 03.40 V 7.1.0, (1998-11)"および"Technical Realisation of the Short Message Service (SMS) ; Point to Point (PP), 3G23.040 V 3.2.0 (1990-10)いわゆるＭＳＩＳＤＥＮ−ナンバー(Mobile Subscriber Integrated Services Digital Network）"に従って確認される。第１の通信ネットワーク１００におけるショートメッセージ５の伝送のもとでは、第１のネットワークユニット１４０がアドレス指定される。この第１のネットワークユニット１４０にまずショートメッセージがまず所定の形式で第１の通信ネットワーク１００を介して伝送される。第２のネットワークユニット１５０は、第１の宛先アドレスに基づいてこれを第２のヘッダ情報１２内で送信機１２５のソースアドレスに置換える。標準規格によれば、第２のヘッダ情報１２は、ちょうど１つのソースアドレスまたはちょうど１つの第１の宛先アドレスを含んでいる。
【００１６】
ショートメッセージ５は、図２によれば、第１のヘッダ情報を含んでおり、これはショートメッセージ５のデータポート５０内で有効データ１の前に置かれている。この第１のヘッダ情報１１は、ＳＭＳショートメッセージサービスではユーザーデータヘッダ情報若しくは"ユーザーデータヘッダ"とも称される。
【００１７】
データ部５０内の第１のヘッダ情報１１の存在は、第２のヘッダ情報１２内の相応のシグナリングエントリによって示される。ＳＭＳショートメッセージサービスでは、前記公知の技術仕様"Technical Realisation of the Short Message Service(SMS); Point-to-Point(PP)"に従って様々なタイプの"ユーザーデータヘッダ"が詳述される。その場合それらは図２による第１のヘッダ情報１１内の第１のシグナリング識別データフィールド１５によって相互に区別される。既に図２には第１のヘッダ情報１１の基本的な構造が示されている。
【００１８】
ショートメッセージ５のデータ部５０で伝送される有効データ１は、ここにおいてそれぞれショートメッセージの形態で複数の通信加入者のもとに、当該実施例では第１の通信加入者１７５と第２の通信加入者１７６のもとに伝送される。この場合第２のヘッダ情報１２内のシグナリングエントリは、付加的に次のことを示す。すなわち当該ショートメッセージ５内に含まれている有効データ１が複数の通信加入者のもとに伝送されるべきことを示す。このシグナリングは、次のことによって行われる。すなわち第２のヘッダ情報１２における第２のデータ部５０の第１のヘッダ情報１１への示唆によって行われる。第２のヘッダ情報１２における第１の宛先アドレスに基づいて、ショートメッセージ５はまず前述したように第１の通信ネットワーク１００を介して第１のネットワークユニット１４０に伝送される。これは第１の通信ネットワーク１００の値とワークプロバイダのサービスセンタとして構成されていてもよい。第１のネットワークユニット１４０は、第２のヘッダ情報１２における第１の宛先アドレスを評価し、ショートメッセージ５２をこの宛先アドレスに割り当てられている第２のネットワークユニット１５０に送信する。第２のネットワークユニット１５０は、第２のヘッダ情報１２におけるシグナリングエントリの評価に基づいてデータ部５０における第１のヘッダ情報１１の存在を識別する。ここにおいて第２のネットワークユニット１５０の目的は、当該第１のヘッダ情報１１の評価である。この第１のヘッダ情報１１内には、ショートメッセージ５の有効データ１をそれぞれの固有のショートメッセージにおいて再び伝送すべき通信加入者１７５，１７６の宛先アドレスが含まれている。その際これらの通信加入者１７５，１７６には、第１の通信ネットワーク１００とこの通信ネットワークの送信機１２５を介して、あるいは他の通信ネットワーク、例えば第２の通信ネットワーク２００を介して連絡が届けられる。この場合図１の実施例によれば、第１の通信加入者１７５は第１の通信ネットワークを介して連絡され、第２の通信加入者１７６は、第２の通信ネットワーク２００を介して連絡される。第２のネットワークユニット１５０は、これらの通信加入者１７５，１７６の受信機アドレスを第１のヘッダ情報１１から抽出する。第２のネットワークユニット１５０の機能範囲に応じてこのユニットからは有効データ１がそのつど１つのショートメッセージの形態で直接個々の通信加入者１７５，１７６に、第１の通信ネットワーク１００か第２の通信ネットワーク２００を介して伝送される。その他のケースでは、第２のネットワークユニット１５０が第１のネットワークユニット１４０に次のことを促す。すなわち有効データが通信加入者１７５，１７６に向けて第１のヘッダ情報１１から抽出された当該通信加入者１７５，１７６のアドレスと共に送信されるように促す。第２の通信加入者１７６への第２の通信ネットワーク２００を介した送信は、この場合も第２のネットワークユニット１５０によって行われ得る。なぜならこれが、第１のネットワークユニット１４０とは対照的に第２の通信ネットワーク２００の加入者でもあるからである。この場合第１の通信加入者１７５への相応のショートメッセージの送信は、第１のネットワークユニット１４０から直接第１の通信ネットワーク１００を介して行ってもよい。このことは図１には示されていないが、これは図１を見やすくするためである。
【００１９】
図３にも示されているようにデータ部５０と共に複数のデータフィールド２０，２５，３０が伝送される。これらは、第１の通信加入者１７５と第２の通信加入者１７６に対する有効データ１の伝送のためのアドレスデータを含んでいる。第２のネットワークユニット１５０におけるこれらのアドレスデータの評価によって、有効データ１が前述した用に第１の通信加入者１７５と第２の通信加入者１７６に転送される。しかしながらそれに対しては、第２のネットワークユニット１５０が、これらのデータフィールド２０，２５，３０の構造形態若しくはそれらのデータフィールド２０，２５，３０がそもそもデータ部５０内に存在しているのかどうかを伝達しなければならない。このことは第１のヘッダ情報１１におけるシグナリング識別データフィールド１５に基づいて行われる。そこではいわゆる識別子が存在し、データ部５０内におけるアドレスデータがどのような形式で存在しているかや、その他にもデータフィールド２０，２５，３０のそもそもの存在がシグナリングされる。例えば識別子は、データ部５０内のデータフィールド２０，２５，３０が複数の加入者の有効データ１送信のための複数のアドレスを含んでいることが知らされる。
【００２０】
この場合第１のヘッダ情報１１のシグナリング識別データフィールド１５の前には、図２に及び図３によれば、第１の長さデータフィールド４０が設けられており、これは第１のヘッダ情報１１のユーザーデータヘッダＵＤＨＬの長さを示す。この第１の長さデータフィールド４０には、既に前述したシグナリング識別データフィールド１５が識別子ＩＥＩ（Information Element Identifier）を伴って後続する。この識別子はこのケースでは、データフィールド２０，２５，３０が、複数の通信加入者１７５，１７６に対するアドレスデータを含んでいることを示している。シグナリング識別データフィールド１５には、第２の長さデータフィールド４５が続いている。この第２の長さデータフィールド４５は、図２による第１のヘッダ情報１１における本来のアドレスデータ５５の長さＩＥＩＤＬ（Information Element Identifier Data Length）を表わす。図３によれば、この本来のアドレスデータ５５は、データフィールド２０，２５，３０によって形成されている。通信加入者１７５，１７６のアドレスは、例えば前記した公知の技術仕様"Technical Realisation of the Short Message Service(SMS); Point-to-Point(PP)"によってコード化されてもよい。この場合ショートメッセージ５の第１のヘッダ情報１１のアドレスデータ５５は、前述したようにそれぞれ３つのデータフィールド２０，２５，３０によって形成されており、第１のデータフィールド２０は長さデータフィールドとして例えば電話番号のような形態で存在し得るアドレスの長さを１/２オクテット又はいわゆるセミオクテットで表わす。これは電話番号のようなアドレス形成の場合、電話番号の一連の数字に相応する。第１のデータフィールド２０は、既に図３に示されている。これには第２のデータフィールド２５が続いており、これは例えば技術仕様規格ＩＴＵ−Ｔ E.164/E.163またはITU-T X. 121において述べられているようにアドレスのタイプを示す。図３のアドレスデータ５５の第２のデータフィールド２５には、第３のデータフィールド３０が続く。これはアドレスないしは電話番号自体を含んでいる。第１のヘッダ情報１１は、前述した公知の技術仕様"Technical Realisation of the Short Message Service(SMS); Point-to-Point(PP)"による"ユーザーデータヘッダ"の複数の同じまたは異なるタイプを含み得る。図２及び図３に基づいて説明してきた第１のヘッダ情報１１における第１の長さデータフィールド４０とシグナリング識別データフィールド１５，第２の長さデータフィールド４５とアドレスデータ５５は、図４に示されているのと同じ順序で多重に繰り返されてもよい。
【００２１】
以下の明細書では、第１のヘッダ情報１１の構造に対する例を説明する。この場合まず第２のヘッダ情報１２がシグナリングエントリＴＰ−ＵＤＨＩ(Transfer Protocol-User Data Header Identification)を含んでおり、これは第１のヘッダ情報１１と共にメッセージ５における複数のアドレスデータ５５，５６，５７が存在しているか否かを示す。存在している場合には、前記ＴＰ−ＵＤＨＩが１にセットされる。存在していない場合には、ＴＰ−ＵＤＨＩは、値０にセットされる。第１のヘッダ情報１１は、例えば図４に示されているように構築されていてもよい。
【００２２】
第１の長さデータフィールド４０においては、第１のヘッダ情報１１の長さＵＤＨＬが１６進系の値"１Ｅ"にセットする。シグナリング識別データフィールド１５では（これは以下では第１のシグナリング識別データフィールドとも称する）、識別子ＩＥＩが１６進系の値"２５"にセットされ、この値に基づいて前述の通信加入者１７５，１７６の複数のアドレスにおけるアドレス指定が照会される。第２の長さデータフィールド４５では、アドレスデータ５５（これは以下では第１のアドレスデータとも称する）に対する長さＩＥＩＤＬと、第１のヘッダ情報１１の第１のアドレスデータ５５のデータフィールド２０，２５，３０の長さが、１６進系の値"８"にセットされる。
【００２３】
図４によれば、第２の長さデータフィールド４５には第１のアドレスデータ５５の第１のデータフィールド２０が続いており、これは１６進系の値"０ｃ"を有し、それによって第１のアドレスデータ５５の長さが１２のハーフオクテットもしくは６バイトに基準付けられる、つまり１２桁の電話番号である。第１のアドレスデータ５５の第１のデータフィールド２０には、第１のアドレスデータ５５の第２のデータフィールド２５が続く。これはＩＳＤＮ（Integrated services Data Network）による国際呼出しナンバーのアドレスタイプを前記公知の技術仕様"Technical Realisation of the Short Message Service(SMS); Point-to-Point(PP)"に従って１６進系の値"９１"に基準化する。第１のアドレスデータ５５の第２のデータフィールド２５には、第１のアドレスデータ５５の第３のデータフィールド３０が続く。これは、当該実施例では第１の遠隔通信網１００の第１の通信加入者１７５のアドレスとして以下の電話番号、
＋４５  １７０  ８１２  ７１１２
を含んでいる。
【００２４】
このアドレスは、図４によれば第１のアドレスデータ５５の第２のデータフィールド２５内で特定化されたアドレスタイプに従って次のように、
"５４７１８０２０１７２１"
で構成される。この電話番号の１桁は、この場合１/２オクテットに相応し、つまり全体の長さは６バイトに相応している。それにより第２の長さデータフィールド４５に対して値"８"が生じる。
【００２５】
さらなる通信加入者のアドレスの提示のために次のような手段が利用される。すなわち第１のヘッダ情報１１に多数の素子と多数の通信加入者のアドレスが含まれるような手段である。この例として、第１のアドレスデータ５５に、第２のシグナリング識別データフィールド１６が識別子ＩＥＩ＝２５（１６進系）を伴って続けられる。これは第１のシグナリング識別データフィールド１５の識別子ＩＥＩに相当する。この第２のシグナリング識別データフィールド１６には、第３の長さデータフィールド４６が続く。これは第２の長さデータフィールド４５のように長さＩＥＩＤＬ＝８で基準化される。この第３の長さデータフィールド４６には第２のアドレスデータ５６が続く。この場合この第２のアドレスデータ５６の第１のデータフィールド２１も、当該第２のアドレスデータ５６に対する長さデータフィールドとして、第１のアドレスデータ５５の第１のデータフィールド２０のように１６進系の値"０ｃ"で基準化され、１２の１/２オクテットのアドレスデータ長となる。これには第２のアドレスデータ５６の第２のデータフィールド２６が続き、これは第１のアドレスデータ５５の第２のデータフィールド２５のように、第２のアドレスデータ５６と共に伝送されるアドレスのタイプに対する値"９１"で基準化される。このフィールドには第２のアドレスデータ５６の第３のデータフィールド３１が続く。これは第２の遠隔通信網２００の第２の通信加入者１７６のアドレスとして以下の電話番号：
＋４９  １７２  ８０２  ７２２２
が含まれ、第２のアドレスデータ５６の第２のデータフィールドにおいて基準化されたタイプに従って以下の値、すなわち、
"９４７１８２２０２７２２"
となる。
【００２６】
図１には示されていない第３の通信加入者のケースであって、第３の遠隔通信網を介して第２のネットワークユニット１５０に接続可能であり、該第２のネットワークユニット１５０にショートメッセージ５の有効データ１をショートメッセージの形態で伝送させる場合には、図４において第２のアドレスデータ５６に第３のシグナリング識別データフィールド１７が続けられる。この第３のシグナリング識別データフィールド１７には第４の長さデータフィールド４７が続く。これは第２の長さデータフィールド４５のように、長さＩＥＩＤＬ＝８（１６進系）で基準化される。それに対して第３のアドレスデータ５７が続けられる。この第３のアドレスデータ５７には、第１のデータフィールド２２が含まれている。この第１のデータフィールド２２は、第１のアドレスデータ５５の第１のデータフィールド２０のように第３のアドレスデータ５７の長さデータフィールドとして１６進系の値"０ｃ"で基準化される。この第１のデータフィールド２２には第３のアドレスデータ５７の第２のデータフィールド２７が続く。この第２のデータフィールド２７は、第１のアドレスデータ５５の第２のデータフィールド２５のように、値９１で基準化されると共に第１のアドレスデータ５５の第２のデータフィールド２５と同じアドレスタイプである。この第２のデータフィールド２５には第３のアドレスデータ５７の第３のデータフィールド３２が続けられ、この第３のデータフィールド３２は、当該実施例においては第３の通信加入者のアドレスないし電話番号を含んでおり、これは以下のように、すなわち、
＋４９  １７７  ８０２  ７１１８
で構成される。これは第３のアドレスデータ５７の第２のデータフィールド２７において提示されたタイプによれば以下のように、すなわち、
"９４７１８７２０１７８１"
で構成される。
【００２７】
それにより前記第１のアドレスデータ５５，第２のアドレスデータ５６，第３のアドレスデータ５７は、それらと共に伝送されるアドレスないし電話番号のタイプ、並びに第１のヘッダ情報１１においてそのつど要求されるデータ量又は長さに相応する。
【００２８】
図４に示されている実施例においては、通信加入者１７５，１７６のアドレスないし呼び出し番号のコード化は、前記公知の技術仕様"Technical Realisation of the Short Message Service(SMS); Point-to-Point(PP)"に記載されている標準規格に相応している。第１のヘッダ情報１１におけるシグナリング識別データフィールド１５，１６，１７に基づいて、第２のネットワークユニット１５０がアドレスデータ５５，５６，５７のタイプに同定され得る。さらに第１のヘッダ情報１１における長さデータフィールド４０，４５，４６，４７に基づいて、第２のネットワークユニット１５０は第１のヘッダ情報１１におけるアドレスデータ５５，５６，５７をつきとめる。第１のヘッダ情報の第１のデータフィールド２０，２１，２２に基づいて、第２のネットワークユニット１５０が第３のデータフィールド３０，３１，３２と、アドレスデータ５５，５６，５７の領域内の通信加入者の電話番号をつきとめる。第１のヘッダ情報１１の第２のデータフィールド２５，２６，２７に基づいて第２のネットワークユニット１５０は、第３のデータフィールド３０，３１，３２内に記憶されているアドレスないし電話番号のタイプを識別する。それに続いて第２のネットワークユニット１５０は、第１のヘッダ情報１１から第３のデータフィールド３０，３１，３２内に記憶されているアドレスないし電話番号を抽出する。それにより第２のネットワークユニット１５０は、アドレス指定された各通信加入者毎に新たなショートメッセージを形成し、各通信加入者毎に抽出された電話番号ないしアドレスを、新たに形成されたそのつどのショートメッセージの第２のヘッダ情報内にコピーする。その際この新たに形成されたショートメッセージのデータ部には有効データ１も含まれているが、しかしながらこれは、新たに形成されたショートメッセージの第２のヘッダ情報１２内のそのつど抽出された電話番号によってアドレス指定された通信加入者にしか伝送されない。第１のヘッダ情報は、そのような手法においては新たに形成されたショートメッセージを必要としない。
【００２９】
図４で説明した実施例においては、アドレスデータ５５，５６，５７にそれぞれ２つの長さデータフィールドが割り当てられている。第１のアドレスデータ５５には、第２の長さデータフィールド４５と、第１のアドレスデータ５５の第１のデータフィールド２０が長さデータフィールドとして割り当てられている。相応にこのことは第２のアドレスデータ５６と第３のアドレスデータ５７にも当てはまる。これにより各アドレスデータ５５，５６，５７に割り当てられた２つの長さデータフィールドのうちの１つが冗長的となる。伝送容量の節約とショートメッセージ５内で有効データ１に使用可能なデータ量の増加のために、アドレスデータ５５，５６，５７の第１のデータフィールド２０，２１，２２を省略することも可能である。その場合これらの第１のデータフィールド２０，２１，２２の値は、残りの長さデータフィールド４５，４６，４７に基づいて第２のネットワークユニット１５０内で計算することができる。
【００３０】
図５には、第１のヘッダ情報の第２の実施例が示されており、ここでは第１のデータフィールド２０，２１，２２が省かれている以外は図４による第１実施例に相応している。ここでの相違点は、第１の長さデータフィールド４０が、パラメータＵＤＨＬに対して、係数３だけ少ない値１ｂを有していることと、第２の長さデータフィールド４５、第３の長さデータフィールド４６及び第４の長さデータフィールド４７が、パラメータＵＤＨＬに対して、係数１だけ少ない値７を有していることである。これらのことは、アドレスデータ５５，５６，５７毎にそれぞれの第１のデータフィールド２０，２１，２２に対するオクテットが節約されていることに起因する。
【００３１】
図４による第１の実施例でも図５による第２の実施例でも、アドレスデータ５５，５６，５７には、同じようなそれぞれ１つの長さデータフィールド４５，４６，４７とシグナリング識別データフィールド１５，１６，１７が割り当てられており、そのためここでも冗長性が存在し、図６による第３実施例に示されているような有効データ１のためのデータ容量の節約が可能である。そこではただ１つのシグナリング識別データフィールドが第１のシグナリング識別データフィールド１５の形態で使用されており、このシグナリング識別データフィールド１５は第１の長さデータフィールド４０に続いている。この第１の長さデータフィールド４０の他には第２の長さデータフィールド４５が用いられているだけあり、この第２の長さデータフィールド４５は、第１のシグナリング識別データフィールド１５に続き、当該の図６による実施例では１６進系の値"１８"を有している。さらなる別の長さデータフィールド４６，４７とさらなるシグナリング識別データフィールド１６，１７は、この図６の実施例では省かれている。そのためアドレスデータ５５，５６，５７は直接的に順次連続しており、第２の長さデータフィールド４５に直結している。但しこの場合は、第２のネットワークユニット１５０において第３のデータフィールド３０，３１，３２の検出を再度保証するためには、アドレスデータ５５，５６，５７毎にそれぞれ値"０ｃ"を伴った第１のデータフィールド２０，２１，２２を挿入しなければならない。なぜなら第３の長さデータフィールド４６及び第４の長さデータフィールド４７が省かれているからである。それに伴って第２の長さデータフィールド４５は、ここにおいて長さＩＥＩＤＬに対して１６進系の値"１８"を有し、この長さは３つのアドレスデータ５５，５６，５７の全てに示される。図６からもわかるように、このようにすれば第１のヘッダ情報１１の長さを再度係数１だけ低減することができる。なぜなら第１の長さデータフィールド４０の値ＵＤＨＬがここにおいて１６進系の値"１ａ"だからである。
【００３２】
既に前述したように、第１のデータフィールド２０，２１，２２はそれぞれ対応する第３のデータフィールド３０，３１，３２内にファイルされたアドレスないし電話番等のアドレスデータ長を示している。第１のデータフィールド２０，２１，２２内の値は、１/２オクテットの数を示しているので、それぞれの第３のデータフィールド３０，３１，３２内のオクテットの数を得るためには、値がそのつど２分割されなければならない。それぞれの第３のデータフィールド３０，３１，３２のオクテットの数にさらに２つのオクテットを各第１のデータフィールド２０，２１，２２と第２のデータフィールド２５，２６，２７のために加算すれば、そのつどのアドレスデータ５５，５６，５７に対するオクテットの数が得られる。この値に３を乗じれば、第１のヘッダ情報１１の全てのアドレスデータ５５，５６，５７に対するオクテットの総数が得られる。図６によれば、アドレスデータ５５，５６，５７に対して前部で２４のオクテットが設けられている。これは１６進系の値"１８"によって第２の長さデータフィールド４５のパラメータＩＥＩＤＬに対して基準化される。この第２の長さデータフィールド４５内のＩＥＩＤＬ値と第１のデータフィールド２０，２１，２２内の長さ値との間の既知の関係に基づいて、アドレスデータ５５，５６，５７は、問題なく第２のネットワークユニット１５０内で相互に分離される。
【００３３】
これまでは、ショートメッセージ５が通信加入者１７５，１７６の複数のアドレスと共に第１のネットワークユニット１４０を介してまず第２のネットワークユニット１５０に転送されることから出発していた。この第２のネットワークユニット１５０は、第１のヘッダ情報１１を評価し、さらにアドレス指定された通信加入１７５，１７６には有効データ１が分配される。またこれらの２つのネットワークユニット１４０、１５０が統合可能であったとしても、第２のヘッダ情報１２において第２のネットワークユニット１５０のアドレスを、第１の宛先アドレスとして示すことは必表である。
【００３４】
しかしながら代替的に次のことも可能である。すなわち第２のヘッダ情報１２内の第１の宛先アドレスが既に通信加入者１７５，１７６のアドレスの１つを示し、残りの通信加入者のさらなるアドレスの全てが前記３つの実施例の説明のように第１のヘッダ情報１１内で提示されるようにすることも可能である。このようなケースでは、第１のネットワークユニット１４０が第２のネットワークユニット１５０の機能を受け継いで、自身が第１のヘッダ情報１１ないしシグナリング識別データフィールド１５，１６，１７にそれぞれ関与するショートメッセージを検査し、有効データ１を新たに形成されるショートメッセージを用いて送信できるようにするために、付加的に望まれている通信加入者のアドレスを抽出する必要がある。
【００３５】
前述した実施例では、３つの異なる通信加入者から出発し、それらのうちの２つが図１に示されており、それらに対して第１のヘッダ情報１１内のアドレスデータ５５，５６，５７がそれぞれ割当てられている。しかしながら第１のヘッダ情報１１内では前述したような３つのアドレスデータよりも多い又は少ないアドレスデータが前記３つの実施例のうちの１つに従って伝送されてもよい。さらに付加的に例えばインターネットなどの１つのデータネットワークの１つの通信加入者に対して複数のアドレスデータを第１のヘッダ情報１１内に含ませるようにすることも可能である。それらのタイプはもちろん前述のアドレスデータから区別し、第１のヘッダ情報１１内の相応するシグナリング識別データフィールドによって表わす必要がある。そのようなデータネットワークの通信加入者のアドレスは、例えばインターネットアドレスの形態で、所属の第３のデータフィールド内で示すことができる。それにより第２のネットワークユニット１５０は、そのようなデータネットワークに接続した場合には、そのような通信加入者に抽出されるインターネットアドレスの付されたインターネットＥ−メールとして、有効データ１を送信する。
【符号の説明】
【００３６】
１００      第１の遠隔通信ネットワーク
１２５      送信機
１４０      第１のネットワークユニット
１５０      第２のネットワークユニット
１７５      第１の通信加入者
１７６      第２の通信加入者
２００      第２の遠隔通信ネットワーク
【図１】
2011142635.tif 000003
【図２】
2011142635.tif 000004
【図３】
2011142635.tif 000005
【図４】
2011142635.tif 000006
【図５】
2011142635.tif 000007
【図６】
2011142635.tif 000008